(57)【要約】本発明が解決しようとする課題は、プリアンブル・シグネチャに対するデフォルトのＥ−ＤＣＨリソースコンフィグレーションの割り当て方法が定義されていないため、割り当て情報を周期的に報知すると下り制御情報量が大幅に増加してしまうという問題を解決することにある。本発明は、基地局及び移動局がリソースコンフィグレーションの総数または、該総数から求められた値を少なくとも用いて、デフォルトのリソースコンフィグレーションを決定する。
2009116212.tif 000002
【特許請求の範囲】
【請求項１】
基地局と移動局からなる通信システムであって、
前記基地局は、前記移動局から送信されたプリアンブルを受信し、受信したプリアンブルに対する応答を前記移動局へ送信し、
前記移動局は、前記応答が第一の応答である場合に、リソースコンフィグレーションの総数または、該総数から求められた値を用いて決定した自移動局のデフォルトのリソースコンフィグレーションの少なくとも一部の情報を用いてデータを送信することを特徴とする通信システム。
【請求項２】
前記移動局は、更に前記プリアンブルに用いるプリアンブル・シグネチャを特定するためのプリアンブル・シグネチャ番号から求められた値を用いて、前記送信に用いる前記デフォルトのリソースコンフィグレーションを決定することを特徴とする請求項１記載の通信システム。
【請求項３】
前記移動局は、前記プリアンブル・シグネチャ番号をＰｒｅＩｎｄとし、リソースコンフィグレーションの総数または、該総数からから求められた値をＹとして、前記送信に用いる前記デフォルトのリソースコンフィグレーションＤｉｎｄを
Ｄｉｎｄ  ＝  ＰｒｅＩｎｄ  ｍｏｄ  Ｙ
として算出することを特徴とする請求項２記載の通信システム。
【請求項４】
前記基地局は、前記プリアンブル・シグネチャごとに前記デフォルトのリソースコンフィグレーションを複数用意することを特徴とする請求項１から３いずれか1項記載の通信システム。
【請求項５】
前記基地局は、前記デフォルトのリソースコンフィグレーションを算出するためのパラメータの値を複数用意し、前記パラメータの値を選択し、報知することを特徴とする請求項４記載の通信システム。
【請求項６】
前記パラメータは位置オフセットと間隔オフセットからなり、位置オフセットをＢｉ（ｉ＝１，・・・、Ｎ：Ｎは自然数）とし、間隔オフセットをＣｊ（ｊ＝１、・・・、Ｌ：Ｌは自然数）として、前記基地局は各グループのデフォルトのリソースコンフィグレーションＤｉｎｄを、
Ｄｉｎｄ  ＝  （Ｃｊ×ＰｒｅＩｎｄ＋Ｂｉ）ｍｏｄ  Ｙ
として算出することを特徴とする請求項５記載の通信システム。
【請求項７】
前記基地局は、所定の条件を満足した場合に、前記パラメータを他の値に切り替えることを特徴とする請求項５または６記載の通信システム。
【請求項８】
前記所定の条件は、前記パラメータの値から決定され得るデフォルトのリソースコンフィグレーション数とそのうちの使用中の数とから求められる使用率に基づくことを特徴とする請求項７記載の通信システム。
【請求項９】
前記基地局は、前記デフォルトのリソースコンフィグレーションを算出するためのパラメータの値を複数用意して報知することを特徴とする請求項４記載の通信システム。
【請求項１０】
前記移動局は、前記報知されたパラメータを保持し、所定の条件に基づいて前記パラメータの値の中から１つを選択することを特徴とする請求項９記載の通信システム。
【請求項１１】
前記所定の条件は、前記プリアンブルを送信するタイミングであることを特徴とする請求項１０記載の通信システム。
【請求項１２】
前記プリアンブルに対する応答はＡｃｑｕｉｓｉｔｉｏｎ  Ｉｎｄｉｃａｔｏｒ  Ｃｈａｎｎｅｌ（ＡＩＣＨ）を用いて送信されることを特徴とする請求項１から１１いずれか１項記載の通信システム。
【請求項１３】
前記リソースコンフィグレーションがＥｎｈａｎｃｅｄ  Ｄｅｄｉｃａｔｅｄ  Ｃｈａｎｎｅｌ（Ｅ−ＤＣＨ）リソースコンフィグレーションであることを特徴とする請求項１から１２いずれか１項記載の通信システム。
【請求項１４】
リソースコンフィグレーションの総数または該総数から求められた値を用いて決定されたデフォルトのリソースコンフィグレーションを基に、移動局から送信されたプリアンブルに対する応答通知を決定することを特徴とする基地局。
【請求項１５】
前記基地局は、更に前記プリアンブルに用いるプリアンブル・シグネチャを特定するためのプリアンブル・シグネチャ番号から求められた値を用いて、前記応答通知の決定に用いる前記デフォルトのリソースコンフィグレーションを決定することを特徴とする請求項１４記載の基地局。
【請求項１６】
前記基地局は、前記プリアンブル・シグネチャ番号をＰｒｅＩｎｄとし、リソースコンフィグレーションの総数または、該総数からから求められた値をＹとして、前記応答の決定に用いる前記デフォルトのリソースコンフィグレーションＤｉｎｄを
Ｄｉｎｄ  ＝  ＰｒｅＩｎｄ  ｍｏｄ  Ｙ
として算出することを特徴とする請求項１５記載の基地局。
【請求項１７】
前記基地局は、前記プリアンブル・シグネチャごとに前記デフォルトのリソースコンフィグレーションを複数用意することを特徴とする請求項１４から請求項１６いずれか１項記載の基地局。
【請求項１８】
前記基地局は、前記デフォルトのリソースコンフィグレーションを算出するためのパラメータの値を複数用意し、前記パラメータの値を選択し、報知することを特徴とする請求項１７記載の基地局。
【請求項１９】
前記基地局は、前記デフォルトのリソースコンフィグレーションを算出するためのパラメータの値を複数用意して報知することを特徴とする請求項１７記載の基地局。
【請求項２０】
基地局へプリアンブルを送信する移動局であって、
前記移動局は、前記基地局から前記プリアンブルに対する応答を受信し、
前記応答が第一の応答である場合に、リソースコンフィグレーションの総数または該総数から求められた値を用いて、自移動局のデフォルトのリソースコンフィグレーションとして決定したリソースコンフィグレーションの少なくとも一部の情報を用いてデータを送信する
ことを特徴とする移動局。
【請求項２１】
前記移動局は、更に前記プリアンブルに用いるプリアンブル・シグネチャを特定するためのプリアンブル・シグネチャ番号から求められた値を用いて、前記送信に用いる前記デフォルトのリソースコンフィグレーションを決定することを特徴とする請求項２０記載の移動局。
【請求項２２】
前記移動局は、前記プリアンブル・シグネチャ番号をＰｒｅＩｎｄとし、リソースコンフィグレーションの総数または、該総数からから求められた値Ｙとして、前記送信に用いる前記デフォルトのリソースコンフィグレーションＤｉｎｄを
Ｄｉｎｄ  ＝  ＰｒｅＩｎｄ  ｍｏｄ  Ｙ
として算出することを特徴とする請求項２１記載の移動局。
【請求項２３】
前記移動局は、前記基地局から報知されたパラメータに基づいて、前記デフォルトのリソースコンフィグレーションを算出することを特徴とする請求項２０から請求項２２いずれか１項記載の移動局。
【請求項２４】
基地局の応答決定方法であって、
リソースコンフィグレーションの総数または該総数から求められた値を用いて決定されたデフォルトのリソースコンフィグレーションを基に、移動局から送信されたプリアンブルに対する応答通知を決定することを特徴とする応答決定方法。
【請求項２５】
更に前記プリアンブルに用いるプリアンブル・シグネチャを特定するためのプリアンブル・シグネチャ番号から求められた値を用いて、前記応答通知の決定に用いる前記デフォルトのリソースコンフィグレーションを決定することを特徴とする請求項２４記載の応答決定方法。
【請求項２６】
前記プリアンブル・シグネチャ番号をＰｒｅＩｎｄとし、リソースコンフィグレーションの総数または、該総数からから求められた値をＹとして、前記応答の決定に用いる前記デフォルトのリソースコンフィグレーションＤｉｎｄを
Ｄｉｎｄ  ＝  ＰｒｅＩｎｄ  ｍｏｄ  Ｙ
として算出することを特徴とする請求項２５記載の応答決定方法。
【請求項２７】
前記基地局は、前記プリアンブル・シグネチャごとに前記デフォルトのリソースコンフィグレーションを複数用意することを特徴とする請求項２４から請求項２６いずれか１項記載の応答決定方法。
【請求項２８】
前記基地局は、前記デフォルトのリソースコンフィグレーションを算出するためのパラメータの値を複数用意するステップと、前記パラメータの値を選択するステップと、報知するステップとを有する請求項２７記載の応答決定方法。
【請求項２９】
前記基地局は、前記デフォルトのリソースコンフィグレーションを算出するためのパラメータの値を複数用意するステップと、報知するステップとを有する請求項２７記載の応答決定方法。
【請求項３０】
移動局のリソースコンフィグレーション決定方法であって、
リソースコンフィグレーションの総数または該総数から求められた値を用いて、デフォルトのリソースコンフィグレーションを決定することを特徴とするリソースコンフィグレーション決定方法。
【請求項３１】
更に前記プリアンブルに用いるプリアンブル・シグネチャを特定するためのプリアンブル・シグネチャ番号から求められた値を用いて、前記デフォルトのリソースコンフィグレーションを決定することを特徴とする請求項３０記載のリソースコンフィグレーション決定方法。
【請求項３２】
前記プリアンブル・シグネチャ番号をＰｒｅＩｎｄとし、リソースコンフィグレーションの総数または、該総数からから求められた値をＹとして、前記応答の決定に用いる前記デフォルトのリソースコンフィグレーションＤｉｎｄを
Ｄｉｎｄ  ＝  ＰｒｅＩｎｄ  ｍｏｄ  Ｙ
として算出することを特徴とする請求項３１記載のリソースコンフィグレーション決定方法。
【請求項３３】
前記移動局は、前記基地局から報知されたパラメータに基づいて、前記デフォルトのリソースコンフィグレーションを算出することを特徴とする請求項３０から請求項３２いずれか１項記載のリソースコンフィグレーション決定方法。
【請求項３４】
情報処理装置に処理を実行させるプログラムであって、
前記プログラムは、前記情報処理装置にリソースコンフィグレーションの総数または該総数から求められた値を用いたデフォルトのリソースコンフィグレーションを基に、移動局から送信されたプリアンブルに対して基地局から送信する応答通知を決定する処理を実行させることを特徴とするプログラム。
【請求項３５】
情報処理装置に処理を実行させるプログラムであって、
前記プログラムは、前記情報処理装置にリソースコンフィグレーションの総数または該総数から求められた値を用いて、移動局におけるデフォルトのリソースコンフィグレーションを決定する処理を実行させることを特徴とするプログラム。
【発明の詳細な説明】
【技術分野】
【０００１】
本発明は、上りデータチャネルリソース割り当て方法および関連する技術に関する。
【背景技術】
【０００２】
第３世代の移動通信システムであるＷ−ＣＤＭＡ（広帯域符号分割多元接続：Ｗｉｄｅｂａｎｄ  Ｃｏｄｅ  Ｄｉｖｉｓｉｏｎ  Ｍｕｌｔｉｐｌｅ  Ａｃｃｅｓｓ）において、ＣＥＬＬ＿ＦＡＣＨ（Ｆｏｒｗａｒｄ  Ａｃｃｅｓｓ  Ｃｈａｎｎｅｌ）状態にある移動局（ＵＥ:ｕｓｅｒ ｅｑｕｉｐｍｅｎｔ)は、帰属する基地局を特定しておらず、移動局から制御情報等を送信するごとに基地局を選択している。上りデータチャネルであるＲＡＣＨ（Ｒａｎｄｏｍ Ａｃｃｅｓｓ Ｃｈａｎｎｅｌ）の動作は、第３世代移動通信システムの標準化プロジェクト３ＧＰＰ(３ｒｄ Ｇｅｎｅｒａｔｉｏｎ Ｐａｒｔｎｅｒｓｈｉｐ Ｐｒｏｊｅｃｔ)の仕様書に規定されている（例えば非特許文献１から４参照）。さらに３ＧＰＰのＲｅｌｅａｓｅ８において、ＲＡＣＨの拡張技術として、Ｅ−ＲＡＣＨ（Ｅｎｈａｎｃｅｄ  ＲＡＣＨ）が検討されている（例えば非特許文献５参照）。以下、図１から図３を参照して、Ｅ−ＲＡＣＨの動作を簡単に説明する。【０００３】
図１は、移動通信システムの構成を示すブロック図である。ここでは、説明を複雑にしないために、基地局１０のセル４０内に複数の移動局２０−１、２０−２、２０−３、・・・２０−Ｎが位置しており、これら移動局はＣＥＬＬ＿ＦＡＣＨ状態にあるものとする。基地局１０は上位のネットワーク装置３０に接続されているものとする。なお、任意の移動局を示す場合には「移動局２０」と記す。【０００４】
図２は、Ｅ−ＲＡＣＨにおけるプリアンブル、ＡＩＣＨまたはＡＩＣＨとＥ−ＡＩＣＨ（以下、ＡＩＣＨ/Ｅ−ＡＩＣＨとする）、Ｅ−ＤＣＨの関係を示すチャネル概略図であり、図３はＥ−ＲＡＣＨをはじめとしたチャネル設定のシーケンス図である。図２に示すように、上り方向通信では、上りデータチャネルＥ−ＤＣＨ（Ｅｎｈａｎｃｅｄ  Ｄｅｄｉｃａｔｅｄ  Ｃｈａｎｎｅｌ）と、Ｅ−ＤＣＨを送信する前に、送信タイミングを計るためのプリアンブルとがある。下り方向通信では、移動局から受信したプリアンブルに応答するための下りチャネルＡＩＣＨ（Ａｃｑｕｉｓｉｔｉｏｎ Ｉｎｄｉｃａｔｏｒ Ｃｈａｎｎｅｌ）と、Ｅ−ＤＣＨリソースコンフィグレーションを割り当てるＥ−ＡＩＣＨ（Ｅｘｔｅｎｄｅｄ  ＡＩＣＨ）があり、ＡＩＣＨとＥ−ＡＩＣＨはセル毎に同じチャネライゼーションコードで送信される。なお、基地局の中にはＥ−ＡＩＣＨに対応していないものもある。移動局は、基地局がＥ−ＡＩＣＨに対応しておらず、デフォルトのＥ−ＤＣＨリソースコンフィグレーションで送信できない場合は、所定時間後に再度プリアンブルの送信を行う。ここで、デフォルトとはプリアンブル・シグネチャに対応するＥ−ＤＣＨリソースコンフィグレーションインデックスを示す。【０００５】
プリアンブルには、後述するプリアンブル・シグネチャＣｓｉｇ，ｓとプリアンブル・スクランブリング符号Ｓｒ−ｐｒｅ，ｎという拡散符号が用いられる。プリアンブル・シグネチャＣｓｉｇ，ｓは符号長が１６のＨａｄａｍａｒｄ符号を２５６回繰り返した４０９６チップから構成され、プリアンブル・スクランブリング符号Ｓｒ−ｐｒｅ，ｎは基地局が通知するセル識別用符号である。プリアンブル・シグネチャCsig,sは各移動局が所定のプリアンブル・シグネチャ（Ｃｓｉｇ，１、Ｃｓｉｇ，２、・・・Ｃｓｉｇ，ｓ）からランダムに選択する。ここでｎはスクランブリング符号の番号を示す。【０００６】
プリアンブルの符号データＣｐｒｅ，ｎ，ｓのｋ番目の値は、４０９６チップのうち対応するｋ番目のプリアンブル・シグネチャＣｓｉｇ，ｓとプリアンブル・スクランブリング符号Ｓｒ−ｐｒｅ，ｎとで構成され、下記式（１）で表される。【０００７】
【数１】
2009116212.tif 000003
上りデータチャネルＥ−ＤＣＨは、３ＧＰＰ  Ｒｅｌｅａｓｅ６で規定された仕様（例えば非特許文献６参照）を基に構成される。【０００８】
図２および図３にＥ−ＲＡＣＨの動作の概要を示す。基地局１０は、Ｅ−ＲＡＣＨで使用するＥ−ＤＣＨリソースコンフィグレーションおよび対応するＥ−ＤＣＨリソースコンフィグレーションインデックスを含むＥ−ＤＣＨリソースコンフィグレーションリスト、およびＥ−ＲＡＣＨで使用可能なプリアンブル・シグネチャの番号を示したプリアンブル・シグネチャリスト、および前述のプリアンブル・スクランブリング符号を定期的にセル内の移動局へＢＣＨ（Ｂｒｏａｄｃａｓｔ  Ｃｈａｎｎｅｌ）で報知する。【０００９】
Ｅ−ＤＣＨリソースコンフィグレーションは、Ｅ-ＲＮＴＩ（Ｅｎｈａｎｃｅｄ  Ｒａｄｉｏ  Ｎｅｔｗｏｒｋ  Ｔｅｍｐｏｒａｒｙ  Ｉｄｅｎｔｉｔｙ）、Ｅ−ＡＩＣＨ  Ｃｏｎｆｉｇｕｒａｔｉｏｎ  Ｆｌａｇ、Ｕｐｌｉｎｋ  ＤＰＣＨ（Ｄｅｄｉｃａｔｅｄ  Ｐｈｙｓｉｃａｌ  Ｃｈａｎｎｅｌ）  Ｉｎｆｏ、Ｅ−ＤＣＨ  Ｉｎｆｏ、Ｅ−ＡＧＣＨ（Ｅ−ＤＣＨ  Ａｂｓｏｌｕｔｅ  Ｇｒａｎｔ  Ｃｈａｎｎｅｌ）  Ｉｎｆｏ、Ｅ-ＲＧＣＨ（Ｅ−ＤＣＨ  Ｒｅｌａｔｉｖｅ  Ｇｒａｎｔ  Ｃｈａｎｎｅｌ）  Ｉｎｆｏ、Ｅ-ＨＩＣＨ（Ｅ−ＤＣＨ  Ｈｙｂｒｉｄ  ＡＲＱ  Ｉｎｄｉｃａｔｏｒ  Ｃｈａｎｎｅｌ）  Ｉｎｆｏ、Ｄｏｗｎｌｉｎｋ  Ｆ−ＤＰＣＨ  Ｉｎｆｏ、ＴＴＩ、Ｅ−ＤＣＨ  Ｓｔａｒｔ  Ｔｉｍｅなどから構成される。【００１０】
移動局２０は、基地局１０のパイロットチャネルの受信電力量から算出した初期送信電力値でプリアンブル符号データを基地局に送信する。プリアンブル符号データは、基地局１０が通知したプリアンブル・スクランブリング符号と、移動局がランダムに選択したプリアンブル・シグネチャとを用いて生成される。基地局１０は、受信したプリアンブルに対して、ＡＩＣＨシグネチャ状態を用いて応答通知（ＡＣＫ／ＮＡＣＫ）を移動局２０に送信する。Ｅ−ＡＩＣＨに対応した基地局１０は、他の移動局が使用している等によりデフォルトのＥ−ＤＣＨリソースコンフィグレーションを当該移動局が使用できない場合は、ＡＩＣＨを用いて応答通知を、Ｅ−ＡＩＣＨを用いてＥ−ＤＣＨリソースコンフィグレーション示す情報を移動局へ通知する。【００１１】
たとえば、基地局１０は、移動局から送信されたプリアンブルの受信に成功し、かつプリアンブルに含まれるプリアンブル・シグネチャごとに割り当てたデフォルトのＥ−ＤＣＨリソースコンフィグレーションを用いて上りデータを送信することを許容する場合、ＡＩＣＨを用いて応答通知としてＡＣＫを通知する。【００１２】
一方、デフォルトのＥ−ＤＣＨリソースコンフィグレーションを用いて上りデータを送信することを許容しない場合、ＡＩＣＨを用いて応答通知としてＮＡＣＫを通知する。また、Ｅ−ＡＩＣＨに対応した基地局において、デフォルトのＥ−ＤＣＨリソースコンフィグレーションを用いて上りデータを送信することを許容しないが、デフォルト以外のＥ−ＤＣＨリソースコンフィグレーションを用いて上りデータを送信することを許容する場合、後述する方法で、Ｅ−ＡＩＣＨを用いて使用を許可するＥ−ＤＣＨリソースコンフィグレーションインデックスを示すオフセット値を移動局に通知する。【００１３】
デフォルト以外のＥ−ＤＣＨリソースコンフィグレーションを用いて上りデータを送信することも許容しない場合、基地局は、ＡＩＣＨを用いて応答通知としてＮＡＣＫを移動局に通知する。基地局がＥ−ＡＩＣＨに対応するか否かの情報は、ＢＣＨに含まれるＥ−ＡＩＣＨ  Ｃｏｎｆｉｇｕｒａｔｉｏｎ  Ｆｌａｇを用いて、セル内の移動局に報知される。【００１４】
移動局２０は、ＡＩＣＨを用いた応答通知を受信し、プリアンブル送信で使用したプリアンブル・シグネチャに対する応答がＡＣＫであれば、送信したプリアンブル・シグネチャに割り当てられたデフォルトのＥ−ＤＣＨリソースコンフィグレーションと、送信したプリアンブルの送信電力値から算出したＥ−ＤＣＨの初期送信電力値とからＥ−ＤＣＨ送信プロファイルを決定し、基地局１０にデータを送信する。【００１５】
また、移動局は前記Ｅ−ＡＩＣＨ  Ｃｏｎｆｉｇｕｒａｔｉｏｎ  Ｆｌａｇにより基地局がＥ−ＡＩＣＨに対応しているかどうかがわかる。基地局がＥ−ＡＩＣＨに対応し、プリアンブル送信で使用したプリアンブル・シグネチャに対する応答がＮＡＣＫの場合、移動局はＥ−ＡＩＣＨを受信する。一方、基地局がＥ−ＡＩＣＨに対応せず、プリアンブル送信で使用したプリアンブル・シグネチャに対する応答がＮＡＣＫの場合、移動局は所定時間後に再度プリアンブルの送信を行う。プリアンブル送信で使用したプリアンブル・シグネチャに対する応答がなければ、移動局２０は、先に送信したプリアンブルを基地局１０が受信していないと判断し、再送回数の上限に達していなければプリアンブルの送信電力を所定量だけ増加させて再送する。Ｅ−ＡＩＣＨを受信し、Ｅ−ＡＩＣＨの応答通知がＮＡＣＫでない場合、Ｅ−ＡＩＣＨシグネチャの番号とＥ−ＡＩＣＨに含まれるＥ−ＡＩＣＨのシグネチャの状態とから得られるオフセット値に対応したＥ−ＤＣＨリソースコンフィグレーションからＥ−ＤＣＨ送信プロファイルを決定し、基地局１０にデータを送信する。応答通知がＮＡＣＫであれば、所定時間後に再度プリアンブルの送信を行う。【００１６】
なお、図２に示すように、プリアンブルの最小再送間隔τｐ−ｐ，ｍｉｎ、プリアンブルとＡＩＣＨでの応答通知送信までの間隔τｐ−ａは、それぞれ予め決められている。プリアンブルが移動局から送信されたものの基地局で受信できなかったなど基地局で認識できなかったプリアンブルに対応するプリアンブル・シグネチャに対しては基地局から移動局に対する応答はない。τｐ−ａまでに応答がなかった場合、移動局はプリアンブルの再送を行う。【００１７】
ＡＩＣＨは、ＡＩＣＨシグネチャ状態を用いた応答通知（ＡＣＫ／ＮＡＣＫ）を、プリアンブルのプリアンブル・シグネチャＣｓｉｇ，ｓに対応して送信する。ＡＩＣＨは、下記式（２）から導かれる符号ａｊを３２個組み合わせることで構成され、ＡＩＣＨのシグネチャパターンｂｓ、ｊは、表１に規定されている（例えば非特許文献４参照）。このとき、sはＡＩＣＨシグネチャ番号を示し、ｂｓ、ｊは１６個のパターンを取りうる。また、ＡＩｓはＡＩＣＨシグネチャの状態を示し、ＡＩＣＨの応答通知ＡＣＫの場合にＡＩｓ＝＋１、ＮＡＣＫの場合にＡＩｓ＝−１とする。【００１８】
【数２】
2009116212.tif 000004
【００１９】
【表１】
2009116212.tif 000005
Ｅ−ＡＩＣＨは、ＡＩＣＨと同一のチャネライゼーションコードを用い、下記式（３）から導かれる符号ａｊを３２個組み合わせることで構成される。Ｅ−ＡＩＣＨのシグネチャパターンｃｓ、ｊは、表２に規定されている（例えば非特許文献７参照）。このとき、s’はＥ−ＡＩＣＨシグネチャの番号を示し、ｃｓ、ｊは最大１６個のパターンを取りうる。また、ＥＡＩｓ’はＥ−ＡＩＣＨシグネチャの状態を示し、１つ以上のＥ−ＡＩＣＨシグネチャの番号のうち、１アクセススロットあたり１つだけのＥ−ＡＩＣＨシグネチャの状態を用いてオフセット値を移動局に通知する。【００２０】
表３は、Ｅ−ＡＩＣＨシグネチャの状態とＥ−ＡＩＣＨシグネチャの番号とＥ−ＤＣＨリソースコンフィグレーションインデックスを示すオフセット値との対応の一例を示す表である。Ｘは、プリアンブル・シグネチャに対応するデフォルトのＥ−ＤＣＨリソースコンフィグレーションインデックスを示し、Ｙは、Ｅ−ＤＣＨリソースコンフィグレーションの総数を示す。表３におけるオフセット値は、Ｅ−ＤＣＨリソースコンフィグレーションリストにおいて、デフォルトに割り当てられたＥ−ＤＣＨリソースコンフィグレーションインデックスからのオフセット分を示す。例えば、Ｅ−ＡＩＣＨシグネチャ状態が＋１、Ｅ−ＡＩＣＨシグネチャ番号が０のとき、デフォルトに割り当てられたＥ−ＤＣＨリソースコンフィグレーションインデックスからのオフセットは１となる。Ｅ−ＡＩＣＨを復号してオフセット１を得た場合、移動局はデフォルトに割り当てられたＥ−ＤＣＨリソースコンフィグレーションインデックスに１を加算したＥ−ＤＣＨリソースコンフィグレーションインデックスに対応したＥ−ＤＣＨリソースコンフィグレーションを用いてデータの送信を行う。【００２１】
移動局は、Ｅ−ＡＩＣＨを受信した際に、Ｅ−ＡＩＣＨシグネチャパターンを使ってＥ−ＡＩＣＨを復号する。Ｅ−ＡＩＣＨの復号は、例えばＥ−ＡＩＣＨシグネチャの０番から始めるなどＥ−ＡＩＣＨシグネチャに順序をつけて、一部の復号においてＥ−ＡＩＣＨシグネチャの決定を行う形態でもよいし、全てのＥ−ＡＩＣＨシグネチャについて行った後に最も確率が高いと推定されるＥ−ＡＩＣＨシグネチャに決定を行うという形態でもよい。Ｅ−ＡＩＣＨの復号により得られるＥ−ＡＩＣＨシグネチャ番号とＥ−ＡＩＣＨシグネチャ状態とから、オフセット値を求める。デフォルトのＥ−ＤＣＨリソースコンフィグレーションインデックスと求めたオフセットにより指定されたＥ−ＤＣＨリソースコンフィグレーションインデックスに対応したＥ−ＤＣＨリソースコンフィグレーションを用いてＥ−ＤＣＨ送信プロファイルを決定する。【００２２】
【数３】
2009116212.tif 000006
【００２３】
【表２】
2009116212.tif 000007
【００２４】
【表３】
2009116212.tif 000008
【非特許文献１】3GPP TS25.214 v7.5.0 May 2007
【非特許文献２】3GPP TS25.321 v7.2.0 September 2006
【非特許文献３】3GPP TS25.331 v7.3.0 December 2006
【非特許文献４】3GPP TS25.211 v7.2.0 May 2007
【非特許文献５】3GPP RP-070677 Nokia Siemens Networks, Nokia, Ericsson, Qualcomm, T-Mobile, Telecom Italia, “Enhanced Uplink for CELL_FACH State in FDD” September 2007
【非特許文献６】3GPP TS25.319 v7.3.0
【非特許文献７】3GPP R1-080835  Qualcomm Europe, Ericsson, Nokia, Nokia Siemens Networks, Motorola, “25214CRdraft (Rel-8, B), RACH procedure relation to Enhanced Uplink for CELL_FACH state” January 2008
【発明の開示】
【発明が解決しようとする課題】
【００２５】
非特許文献７で提案されているＥ−ＲＡＣＨシステムでは、Ｅ−ＤＣＨリソースコンフィグレーションリストにおいて、プリアンブル・シグネチャに対するデフォルトのＥ−ＤＣＨリソースコンフィグレーションの割り当て方法が定義されていないため、前述のＥ−ＲＡＣＨシステムを正常に動作させることができない。この問題を解決する一般的な方法として、基地局からプリアンブル・シグネチャごとに割り当てるデフォルトのＥ−ＤＣＨリソースコンフィグレーションインデックスをＢＣＨで報知する方法が考えられるが、この方法では、最大１６個のプリアンブル・シグネチャの番号を表すために４ｂｉｔ用い、最大３１個のＥ−ＤＣＨリソースコンフィグレーションインデックスを表すために５ｂｉｔ用いるため、すべてのプリアンブル・シグネチャにデフォルトのＥ−ＤＣＨリソースコンフィグレーションを割り当てるために最大１４４ｂｉｔが必要となり、ＢＣＨでこの割り当て情報を周期的に報知すると下り制御情報量が大幅に増加してしまう問題が発生する。【００２６】
そこで、本発明の目的は、報知情報量の増加を抑えることができるデフォルトのリソースコンフィグレーション割り当て方法および装置を提供することにある。
【課題を解決するための手段】
【００２７】
上記課題を解決する本発明は、基地局と移動局からなる通信システムにおいて、基地局は、移動局から送信されたプリアンブルを受信し、受信したプリアンブルに対する応答を移動局へ送信し、移動局は、前記応答が第一の応答である場合に、リソースコンフィグレーションの総数または、該総数から求められた値を用いて決定した自移動局のデフォルトのリソースコンフィグレーションの少なくとも一部の情報を用いてデータを送信することを特徴とする。【００２８】
上記課題を解決する本発明は、基地局は、リソースコンフィグレーションの総数または該総数から求められた値を用いて決定されたデフォルトのリソースコンフィグレーションを基に、移動局から送信されたプリアンブルに対する応答通知を決定することを特徴とする。【００２９】
上記課題を解決する本発明は、基地局へプリアンブルを送信する移動局であって、移動局は、基地局からプリアンブルに対する応答を受信し、応答が第一の応答である場合に、リソースコンフィグレーションの総数または該総数から求められた値を用いて、自移動局のデフォルトのリソースコンフィグレーションとして決定したリソースコンフィグレーションの少なくとも一部の情報を用いてデータを送信することを特徴とする。【００３０】
上記課題を解決する本発明は、基地局の応答決定方法であって、リソースコンフィグレーションの総数または該総数から求められた値を用いて決定されたデフォルトのリソースコンフィグレーションを基に、移動局から送信されたプリアンブルに対する応答通知を決定することを特徴とする。【００３１】
上記課題を解決する本発明は、移動局のリソースコンフィグレーション決定方法であって、リソースコンフィグレーションの総数または該総数から求められた値を用いて、デフォルトのリソースコンフィグレーションを決定することを特徴とするリソースコンフィグレーション決定方法。【００３２】
上記課題を解決する本発明は、情報処理装置に処理を実行させるプログラムであって、プログラムは、情報処理装置にリソースコンフィグレーションの総数または該総数から求められた値を用いたデフォルトのリソースコンフィグレーションを基に、移動局から送信されたプリアンブルに対して基地局から送信する応答通知を決定する処理を実行させることを特徴とする。【００３３】
上記課題を解決する本発明は、情報処理装置に処理を実行させるプログラムであって、プログラムは、情報処理装置にリソースコンフィグレーションの総数または該総数から求められた値を用いて、移動局におけるデフォルトのリソースコンフィグレーションを決定する処理を実行させることを特徴とする。
【発明の効果】
【００３４】
本発明によれば、報知情報量の増加を抑えつつ、デフォルトのリソースコンフィグレーションを割り当てることができる。
【図面の簡単な説明】
【００３５】
【図１】移動通信システムの構成を示すブロック図である。
【図２】Ｅ−ＲＡＣＨ、ＡＩＣＨ/Ｅ−ＡＩＣＨ、Ｅ−ＤＣＨの関係を示すチャネル概略図である。
【図３】Ｅ−ＲＡＣＨをはじめとしたチャネル設定のシーケンス図である。
【図４】本発明による無線通信システムにおける基地局の構成の一例を示すブロック図である。
【図５】本発明による無線通信システムにおける移動局の構成の一例を示すブロック図である。
【図６】本発明の第１、２の実施形態におけるデータ送信の手順を示すシーケンス図である。
【図７】本発明の第１の実施形態おけるデフォルトのＥ−ＤＣＨリソースコンフィグレーション割り当ての概略図１である。
【図８】本発明の第１の実施形態おけるデフォルトのＥ−ＤＣＨリソースコンフィグレーション割り当ての概略図２である。
【図９】本発明の第1、２の実施形態における基地局の動作を示すフローチャートである。
【図１０】本発明の第1、２の実施形態における移動局の動作を示すフローチャートである。
【図１１】本発明の第２の実施形態おけるデフォルトのＥ−ＤＣＨリソースコンフィグレーション割り当ての概略図１である。
【図１２】本発明の第２の実施形態おけるデフォルトのＥ−ＤＣＨリソースコンフィグレーション割り当ての概略図２である。
【図１３】本発明の第２の実施形態における基地局の報知情報変更の動作を示すフローチャートである。
【図１４】本発明の第３の実施形態におけるデータ送信の手順を示すシーケンス図である。
【図１５】本発明の第３の実施形態における基地局の動作を示すフローチャートである。
【符号の説明】
【００３６】
１０  基地局
２０  移動局
１０１  無線通信部
１０２  受信処理部
１０３  送信処理部
１０４  通信部
１０５  受信処理部
１０６  送信処理部
１０７  リソースコンフィグレーション生成部
１０８  プリアンブル識別部
１０９  リソースコンフィグレーション制御部
２０１  無線通信部
２０２  受信処理部
２０３  応答通知処理部
２０４  送信データ制御部
２０５  リソースコンフィグレーション保持部
２０６  送信処理部
２０７  バッファ
【発明を実施するための最良の形態】
【００３７】
本発明は、リソースコンフィグレーションの総数または、該総数から求められた値を少なくとも用いて、デフォルトのリソースコンフィグレーションを決定することを特徴としている。【００３８】
以下、リソースコンフィグレーションをＥ−ＤＣＨリソースコンフィグレーションとし、図４と図５を用いて基地局と移動局の構成を説明する。【００３９】
図４は、第１から第３の実施形態における基地局の構成の一例を示すブロック図である。基地局１０には、移動局２０との無線通信を行う無線通信部１０１、それぞれの移動局から受信した上り信号を処理するための上り信号受信処理部１０２、それら上り信号のうちの転送データを、例えば基地局制御装置などの上位ネットワーク装置へ送信するための処理を行う上り信号送信処理部１０３および上位ネットワーク装置へ送信する通信部１０４が設けられている。上位ネットワーク装置からのデータは通信部１０４で受信された後、下り信号受信処理部１０５で処理が行われる。下り信号を移動局へ送信するための処理を下り信号送信処理部１０６で行い、無線通信部１０１から宛先の移動局へ送信される。【００４０】
さらに、基地局１０には、上り信号受信処理部ｌ０２に接続されたプリアンブル識別部１０８と、リソースコンフィグレーション生成部１０７と、リソースコンフィグレーション制御部１０９とが設けられている。上り信号受信処理部ｌ０２は、移動局からプリアンブルを受信した場合は、プリアンブル識別部１０８へ転送し、それ以外の場合は上り信号送信処理部１０３へ転送する。プリアンブル識別部１０８は、上り信号受信処理部１０２から転送されたプリアンブルからプリアンブル・シグネチャを識別し、識別した内容をリソースコンフィグレーション制御部１０９へ通知する。【００４１】
リソースコンフィグレーション生成部１０７は、所定時間ごとに、Ｅ−ＲＡＣＨに用いられるＥ−ＤＣＨリソースコンフィグレーションとＥ−ＤＣＨリソースコンフィグレーションインデックスとを対応づけたリストであるＥ−ＤＣＨリソースコンフィグレーションリストを生成し、リソースコンフィグレーション制御部１０９へ出力する。なお、ここでは所定時間ごとにＥ−ＤＣＨリソースコンフィグレーションリストを生成し、出力するとして説明をしたが、これらの情報は予め定められているという形態でもよい。【００４２】
リソースコンフィグレーション制御部１０９は、リソースコンフィグレーション生成部１０７から転送されたＥ−ＤＣＨリソースコンフィグレーションリストおよび予め設定されているＥ−ＲＡＣＨに使用可能なプリアンブル・シグネチャに関する情報を含むプリアンブル・シグネチャリストを保持している。リソースコンフィグレーション制御部１０９はＥ−ＤＣＨリソースコンフィグレーションリストおよびプリアンブル・シグネチャリストを下り信号送信処理部１０６へ出力し、下り信号送信処理部１０６は、送信処理部１０６から受信したＥ−ＤＣＨリソースコンフィグレーションリストを、無線通信部１０１を通してセル内の移動局へ報知する。【００４３】
また、リソースコンフィグレーション制御部１０９は、プリアンブル識別部１０８からプリアンブル識別結果が転送された場合に、保持するＥ−ＤＣＨリソースコンフィグレーションリストにおいて、プリアンブル識別部１０８で識別されたプリアンブル・シグネチャに対応するデフォルトのＥ−ＤＣＨリソースコンフィグレーションが使用可能である場合、ＡＩＣＨを用いて応答通知ＡＣＫを送信処理部１０６に送信する。デフォルトのＥ−ＤＣＨリソースコンフィグレーションが使用可能でなく、Ｅ−ＤＣＨリソースコンフィグレーションリストにデフォルト以外の使用可能なＥ−ＤＣＨリソースコンフィグレーションがある場合、Ｅ−ＤＣＨリソースコンフィグレーションリストから使用可能なＥ−ＤＣＨリソースコンフィグレーションを選択する。更にＡＩＣＨを用いて応答通知ＮＡＣＫおよび、デフォルトのＥ−ＤＣＨリソースコンフィグレーションと選択したＥ−ＤＣＨリソースコンフィグレーションとのオフセット値から求められるＥ−ＡＩＣＨシグネチャとＥ−ＡＩＣＨを用いて通知するＥ−ＡＩＣＨシグネチャ状態とを送信処理部１０６に送信する。【００４４】
デフォルトのＥ−ＤＣＨリソースコンフィグレーションが使用可能でなく、Ｅ−ＤＣＨリソースコンフィグレーションリストに使用可能なＥ−ＤＣＨリソースコンフィグレーションが存在しない場合、ＡＩＣＨを用いたＮＡＣＫおよびＥ−ＡＩＣＨを用いたＮＡＣＫを送信処理部１０６に送信する。送信処理部１０６は、ＡＩＣＨを用いてリソースコンフィグレーション制御部１０９から転送されてきたプリアンブルに対する応答通知を、また、Ｅ−ＡＩＣＨシグネチャ状態をＥ−ＡＩＣＨに含め、Ｅ−ＡＩＣＨシグネチャに対応したＥ−ＡＩＣＨシグネチャパターンを用いてＥ−ＤＣＨリソースコンフィグレーションに関する情報を無線通信部１０１を通して移動局へ送信する。【００４５】
ここでは、Ｅ−ＤＣＨリソースコンフィグレーションリストをリソースコンフィグレーション制御部１０９で保持するとして説明をしたが、リソースコンフィグレーション生成部１０７で保持する形態でもよく、また、別に記憶部を持たせてそこで保持してもよい。この場合は、Ｅ−ＤＣＨリソースコンフィグレーションリストをＥ−ＤＣＨリソースコンフィグレーション生成部１０７からリソースコンフィグレーション制御部１０９へ通知する動作、またはリソースコンフィグレーション制御部１０９がリソースコンフィグレーション生成部１０７もしくは記憶部から読み出す動作が必要となる。【００４６】
なお、プリアンブル識別部１０８、リソースコンフィグレーション生成部１０７およびリソースコンフィグレーション制御部１０９は、ＣＰＵ等のプログラム制御プロセッサ上でそれぞれ対応する機能のプログラムを実行することで同等の機能を実現することもできる。また、ここでは本発明によるチャネル割当方法に関連する部分を図示しており、その他の構成部分は省略されている。【００４７】
図５は、第１から第３の実施形態における移動局の構成の一例を示すブロック図である。移動局２０は、基地局との無線通信を行うための無線通信部２０１、受信処理部２０２、応答通知処理部２０３、送信データ制御部２０４、リソースコンフィグレーション保持部２０５、送信処理部２０６およびバッファ２０７を含んでいる。ここでも本発明によるチャネル割当方法に関連する部分を図示しており、その他の構成部分は省略されている。【００４８】
受信処理部２０２は無線通信部２０１を通して基地局からのデータを受信し、データがプリアンブルに対する応答通知である場合は、応答通知処理部２０３へ転送し、データがＥ−ＤＣＨリソースコンフィグレーションリストである場合は、リソースコンフィグレーション保持部２０５へ転送する。リソースコンフィグレーション保持部２０５は転送されたＥ−ＤＣＨリソースコンフィグレーションリストを保持する。応答通知処理部２０３は受信処理部２０２から入力したプリアンブルに対するＡＩＣＨの応答通知と、ＡＩＣＨを用いた応答通知がＮＡＣＫである場合に、Ｅ−ＡＩＣＨシグネチャパターンを用いて復号されたＥ−ＡＩＣＨシグネチャとＥ−ＡＩＣＨに含まれるＥ−ＡＩＣＨシグネチャ状態とから求められるオフセット値を抽出する。このＡＩＣＨおよびＥ−ＡＩＣＨの応答通知は、送信データ制御部２０４へ転送される。なお、Ｅ−ＤＣＨリソースコンフィグレーションリストを受信するとして説明をしたが、これらの情報は予め移動局に保持されているという形態でもよい。【００４９】
送信データ制御部２０４は、リソースコンフィグレーション保持部２０５に保持されたＥ−ＤＣＨリソースコンフィグレーションリストを呼び出し、応答通知処理部２０３から入力したＡＩＣＨおよびＥ−ＡＩＣＨの応答通知と、呼び出したＥ−ＤＣＨリソースコンフィグレーションリストからＥ−ＲＡＣＨに用いるＥ−ＤＣＨリソースコンフィグレーションを決定し、送信処理部２０６へ出力する。送信処理部２０６は、送信データ制御部２０４から入力されたＥ−ＤＣＨリソースコンフィグレーションに基づいてＥ−ＤＣＨ送信プロファイルを設定し、無線通信部２０１を通して基地局へデータを送信する。【００５０】
ここでは保持されたＥ−ＤＣＨリソースコンフィグレーションリストをリソースコンフィグレーション保持部２０５に保持するとして説明したが、受信処理部２０２から直接、またはリソースコンフィグレーション保持部２０５を介して送信データ制御部２０４へ送信され、送信データ制御部２０４で保持するという形態でもよい。この場合、送信データ制御部２０４がリソースコンフィグレーション保持部２０５からＥ−ＤＣＨリソースコンフィグレーションリスト読み出す処理が不要となる。【００５１】
バッファ２０７は送信するデータが発生したときに当該データの保持を行う。また、送信処理が行われるときに保持したデータを送信データ制御部へ渡す。【００５２】
なお、応答通知処理部２０３、送信データ制御部２０４は、ＣＰＵ等のプログラム制御プロセッサ上でそれぞれ対応する機能のプログラムを実行することで同等の機能を実現することもできる。【００５３】
（第１の実施の形態）
本実施の形態では、プリアンブル・シグネチャ番号とリソースコンフィグレーションの総数または、該総数から求められた値とからデフォルトのリソースコンフィグレーションを決定することを特徴としている。【００５４】
以下、リソースコンフィグレーションをＥ−ＤＣＨリソースコンフィグレーションとし、Ｅ−ＤＣＨリソースコンフィグレーションの総数そのものを用いて、報知されたプリアンブル・シグネチャリストと、Ｅ−ＤＣＨリソースコンフィグレーションリストと、プリアンブル・シグネチャの番号をＥ−ＤＣＨリソースコンフィグレーションの総数で割ったときの剰余とからデフォルトに割り当てるＥ−ＤＣＨリソースコンフィグレーションインデックスを算出し、データの送受信を行う無線通信システムを一例として図６から図１０を用いて説明する。【００５５】
図６は、本実施の形態におけるデータ送信の手順を示すシーケンス図である。基地局は、セル内の移動局に対して、所定の時間ごとにＥ−ＤＣＨリソースコンフィグレーションリストおよび、プリアンブル・シグネチャリストをＢＣＨで報知している（ステップＳ１０１）。移動局のリソースコンフィグレーション保持部２０５は、受信した前述の報知情報を保持し、新規の報知情報を受信した場合は、情報を更新する。このとき移動局、基地局はそれぞれ、報知情報から、下記式（４）に基づいて、プリアンブル・シグネチャの番号をＥ−ＤＣＨリソースコンフィグレーションの総数で割ったときの剰余からデフォルトに割り当てるＥ−ＤＣＨリソースコンフィグレーションインデックスを算出する（ステップＳ１０２）。【００５６】
【数４】
2009116212.tif 000009
このとき、Ｄｉｎｄは、デフォルトに割り当てるＥ−ＤＣＨリソースコンフィグレーションインデックスを、Ｐｒｅｉｎｄは、プリアンブル・シグネチャの番号を、Ｙは、Ｅ−ＤＣＨリソースコンフィグレーションの総数を示す。【００５７】
移動局のバッファ２０７に送信データが発生すると（ステップＳ１０３）、移動局、特に送信データ制御部２０４は前述したようにプリアンブルを基地局に送信する（ステップＳ１０４）。基地局は、プリアンブル受信後に、受信したプリアンブル・シグネチャに対応するデフォルトのＥ−ＤＣＨリソースコンフィグレーションが使用可能か否かを判断するＡＩＣＨ／Ｅ−ＡＩＣＨ応答条件判断ステップの処理を行う（ステップＳ１０５）。ＡＩＣＨ／Ｅ−ＡＩＣＨ応答条件判断ステップにおいて、受信したプリアンブル・シグネチャに対応するデフォルトのＥ−ＤＣＨリソースコンフィグレーションを前述の式（４）を用いて算出する。【００５８】
基地局がプリアンブルを受信した場合は、ＡＩＣＨ／Ｅ−ＡＩＣＨ応答条件判断ステップの判断に応じてＡｌｔ２−１、２−２、２−３のいずれかの処理を行う。プリアンブルが移動局から送信されたものの基地局で受信できなかったなど基地局でプリアンブルを認識できなかった場合は、基地局は移動局に特に通知を行わず、Ａｌｔ１にて移動局からの動作を待つ。Ａｌｔ１では、移動局は、ステップＳ１０４のプリアンブル送信から所定の時間経過後、プリアンブルを再送し（ステップＳ１０６）、基地局は再度ＡＩＣＨ／Ｅ−ＡＩＣＨ応答条件判断ステップの処理を行う。【００５９】
ＡＩＣＨ／Ｅ−ＡＩＣＨ応答条件判断ステップにおいて、算出したＥ−ＤＣＨリソースコンフィグレーションが使用可能である場合、Ａｌｔ２−１の処理を行う。Ａｌｔ２−１では移動局へＡＩＣＨを用いて応答通知ＡＣＫを送信し（ステップＳ１０７）、移動局は、前述の式（４）を用いて算出したデフォルトのＥ−ＤＣＨリソースコンフィグレーションからＥ−ＤＣＨ送信プロファイルを決定し（ステップＳ１０８）、上りデータを送信する（ステップＳ１０９）。【００６０】
ＡＩＣＨ／Ｅ−ＡＩＣＨ応答条件判断ステップにおいて、デフォルトのＥ−ＤＣＨリソースコンフィグレーションが使用可能ではなく、Ｅ−ＤＣＨリソースコンフィグレーションリストにデフォルト以外の使用可能なＥ−ＤＣＨコンフィグレーションがある場合、Ａｌｔ２−２の処理を行う。Ａｌｔ２−２では、移動局に対してＡＩＣＨを用いて応答通知ＮＡＣＫおよびＥ−ＡＩＣＨシグネチャ状態を含んだ状態をＥ−ＡＩＣＨを用いて送信する。これらの情報を送信する際にはデフォルトのＥ−ＤＣＨリソースコンフィグレーションと選択したＥ−ＤＣＨリソースコンフィグレーションとのオフセット値から求められるＥ−ＡＩＣＨシグネチャに対応したＥ−ＡＩＣＨシグネチャパターンを用いる（ステップＳ１１０）。【００６１】
移動局は、Ｅ−ＡＩＣＨシグネチャパターンを用いてＥ−ＡＩＣＨを復号する。複号の結果得られたＥ−ＡＩＣＨシグネチャとＥ−ＡＩＣＨシグネチャ状態とあわせてオフセット値を抽出する。また、抽出したオフセット値とデフォルトのＥ−ＤＣＨリソースコンフィグレーションから送信に用いるＥ−ＤＣＨリソースコンフィグレーションを決定する。決定したＥ−ＤＣＨリソースコンフィグレーションからＥ−ＤＣＨ送信プロファイルを決定し（ステップＳ１１１）、上りデータを送信する（ステップＳ１１２）。【００６２】
ＡＩＣＨ／Ｅ−ＡＩＣＨ応答条件判断ステップにおいて、Ｅ−ＤＣＨリソースコンフィグレーションがすべて使用できない場合、またはＥ−ＡＩＣＨに対応していない基地局においてデフォルトのＥ−ＤＣＨリソースコンフィグレーションが使用できない場合はＡｌｔ２−３の処理を行う。Ａｌｔ２−３では、移動局に対して、Ｅ−ＡＩＣＨに対応していない基地局ではＡＩＣＨを用いて応答通知ＮＡＣＫを、Ｅ−ＡＩＣＨに対応した基地局ではＡＩＣＨおよびＥ−ＡＩＣＨを用いて応答通知ＮＡＣＫを送信する（ステップＳ１１３）。その後、移動局は、再送カウンタを確認する（ステップＳ１１４）。再送カウンタの残数が０でなければ、Ａｌｔ２−３−１の処理である所定の待機時間を経てプリアンブルの再送を行い（ステップＳ１１５）、再送カウンタの残数が０であれば、データ送信を中止するＡｌｔ２−３−２の処理を行う（ステップＳ１１６）。【００６３】
以下、デフォルトのＥ−ＤＣＨリソースコンフィグレーションインデックスを算出するステップ１０２について図７、８を用いて説明する。【００６４】
図７は、プリアンブル・シグネチャの数に比べ、Ｅ−ＤＣＨリソースコンフィグレーションの数が多い場合のプリアンブル・シグネチャの番号とＥ−ＤＣＨリソースコンフィグレーションのインデックスとの対応関係を示す一例である。この例の場合、デフォルトに割り当てられるＥ−ＤＣＨリソースコンフィグレーションのインデックスは、プリアンブル・シグネチャの番号と一致する。なお、プリアンブル・シグネチャの数とＥ−ＤＣＨリソースコンフィグレーションの数が同じ場合も、この図と同様にＥ−ＤＣＨリソースコンフィグレーションのインデックスは、プリアンブル・シグネチャの番号と一致する。【００６５】
図８は、プリアンブル・シグネチャの数に比べ、Ｅ−ＤＣＨリソースコンフィグレーションの数が少ない場合のプリアンブル・シグネチャの番号とＥ−ＤＣＨリソースコンフィグレーションのインデックスとの対応関係を示す一例である。この例の場合、Ｅ−ＤＣＨリソースコンフィグレーションの数以下であるプリアンブル・シグネチャの０番から５番までは図７に示した例と同様に、デフォルトに割り当てられるＥ−ＤＣＨリソースコンフィグレーションのインデックスと、プリアンブル・シグネチャの番号が一致する。しかし、プリアンブル・シグネチャの６番以降は、割り当てるＥ−ＤＣＨリソースコンフィグレーションが足りなくなる。そのため、式（４）に従い、プリアンブル・シグネチャの番号をＥ−ＤＣＨリソースコンフィグレーションの総数で割り、その剰余数に対応するＥ−ＤＣＨリソースコンフィグレーションインデックスをデフォルトに割り当てる。【００６６】
この処理により、Ｅ−ＤＣＨリソースコンフィグレーション数に関わらず、デフォルトのＥ−ＤＣＨリソースコンフィグレーションを割り当てることができる。【００６７】
図９は、ＡＩＣＨ/Ｅ−ＡＩＣＨの応答を判断するＡＩＣＨ／Ｅ−ＡＩＣＨ応答条件判断ステップにおける基地局、特にＥ−ＤＣＨリソースコンフィグレーション制御部１０９の動作を示すフローチャートである。【００６８】
基地局は、移動局が送信するプリアンブルを受信したか確認し（ステップＳ２０１）、プリアンブルを受信していない場合はプリアンブル受信待ち状態に戻る。ステップＳ２０１でプリアンブルを受信していた場合は、受信したプリアンブル・シグネチャに対応するデフォルトのＥ−ＤＣＨリソースコンフィグレーションが使用可能か否かを判断する（ステップＳ２０２）。デフォルトのＥ−ＤＣＨリソースコンフィグレーションが使用可能である場合、基地局はＡＩＣＨを用いて、応答通知ＡＣＫを通知し（ステップＳ２０３）、移動局が送信する上りデータを受信して（ステップＳ２０４）、ステップＳ２０１のプリアンブル受信待ち状態に戻る。【００６９】
ステップＳ２０２において、デフォルトのＥ−ＤＣＨリソースコンフィグレーションが使用可能ではない場合、基地局は、Ｅ−ＡＩＣＨに対応しているか判断する（ステップＳ２０５）。Ｅ−ＡＩＣＨに対応していなければ、ＡＩＣＨを用いて応答通知ＮＡＣＫを通知し（ステップＳ２０６）、ステップＳ２０１のプリアンブル受信待ち状態に戻る。【００７０】
ステップＳ２０５において、Ｅ−ＡＩＣＨに対応していれば、異なるＥ−ＤＣＨリソースコンフィグレーションが使用可能か否か判断する（ステップＳ２０７）。ステップＳ２０７において、Ｅ−ＤＣＨリソースコンフィグレーションリストにデフォルト以外の使用可能なＥ−ＤＣＨコンフィグレーションがある場合は、そのうちの1つを選択する。更にＡＩＣＨを用いた応答通知ＮＡＣＫおよび、デフォルトのＥ−ＤＣＨリソースコンフィグレーションと選択したＥ−ＤＣＨリソースコンフィグレーションとのオフセット値からＥ−ＡＩＣＨシグネチャとＥ−ＡＩＣＨシグネチャ状態とを求め、Ｅ−ＡＩＣＨを用いて送信する（ステップＳ２０８）。  基地局は、移動局が送信する上りデータを受信して（ステップＳ２０９）、ステップＳ２０１のプリアンブル受信待ち状態に戻る。【００７１】
ステップＳ２０７において、Ｅ−ＤＣＨリソースコンフィグレーションがすべて使用できない場合は、ＡＩＣＨを用いた応答通知ＮＡＣＫおよび、Ｅ−ＡＩＣＨを用いた応答通知ＮＡＣＫを通知し（ステップＳ２１０）、ステップＳ２０１のプリアンブル受信待ち状態に戻る。【００７２】
以下、ステップＳ２０７の動作について、表４及び５を用いて具体例を説明する。Ｅ−ＤＣＨリソースコンフィグレーション制御部１０９ではＥ−ＤＣＨリソースコンフィグレーションが使用可能か否かという情報を保持している。表４及び５において、‘Ｂｕｓｙ’は使用中、‘Ａｖａｉｌａｂｌｅ’は使用可能であることをそれぞれ示している。ここでは２つの値として説明したが、Ｅ−ＤＣＨリソースコンフィグレーションの状態を示す情報は２値に限ったものではなくてもよい。また、表４、表５の例はいずれもデフォルトのＥ−ＤＣＨリソースコンフィグレーションが、Ｅ−ＤＣＨリソースコンフィグレーションインデックスの０番であるとする。【００７３】
表４は、Ｅ−ＤＣＨリソースコンフィグレーションリストに使用可能なＥ−ＤＣＨリソースコンフィグレーションがある場合の一例を示すものである。デフォルトのＥ−ＤＣＨリソースコンフィグレーションが使用中であるため基地局は、使用可能であるＥ−ＤＣＨリソースコンフィグレーションインデックスの４番を選択する。デフォルトのＥ−ＤＣＨリソースコンフィグレーションと選択したＥ−ＤＣＨリソースコンフィグレーションのオフセットが４であるため、基地局は、表３に基づいて、Ｅ−ＡＩＣＨシグネチャが２番でＥ−ＡＩＣＨ状態が＋１であることを求める。更にＥ−ＡＩＣＨ状態＋１を含んだ情報をＥ−ＡＩＣＨシグネチャの２番に対応したＥ−ＡＩＣＨシグネチャパターンとともにＥ−ＡＩＣＨを用いて移動局に通知する。【００７４】
表５は、Ｅ−ＤＣＨリソースコンフィグレーションリストに使用可能なＥ−ＤＣＨリソースコンフィグレーションがない場合の一例を示すものである。この例では使用可能なＥ−ＤＣＨリソースコンフィグレーションが存在しないため、基地局がＮＡＣＫを送信する例を示している。表３に基づくと、ＮＡＣＫはＥ−ＡＩＣＨシグネチャの０番とＥ−ＡＩＣＨ状態の＋１とで対応している。よってＥ−ＡＩＣＨ状態＋１を含んだ情報をＥ−ＡＩＣＨシグネチャの０番に対応したＥ−ＡＩＣＨシグネチャパターンとともにＥ−ＡＩＣＨを用いて移動局に通知する。【００７５】
【表４】
2009116212.tif 000010
【００７６】
【表５】
2009116212.tif 000011
図１０は、本実施の形態における移動局、特に送信データ制御部２０４の動作を示すフローチャートである。移動局はバッファ２０７に送信データが発生したことに応答して、図１０の制御動作を開始する。移動局は、基地局からの報知情報を受信しているか否か判断する（ステップＳ３０１）。報知情報を受信している場合は、前述した方法で、報知情報からプリアンブル・シグネチャ番号ごとに割り当てるデフォルトのＥ−ＤＣＨリソースコンフィグレーションを計算し（ステップＳ３０２）、再送カウンタＭを初期値Ｍｉｎｉｔに設定する（ステップＳ３０３）。報知情報を受信していない場合は、報知情報の受信を待ち、ステップＳ３０１に戻る。ステップＳ３０３の後、プリアンブルを基地局に送信するプリアンブル送信ステップの処理を行う（ステップＳ３０４）。その後、基地局からのＡＩＣＨ/Ｅ−ＡＩＣＨの応答通知受信待ち状態となり、ＡＩＣＨの応答通知を確認する（ステップＳ３０５）。【００７７】
ステップＳ３０５において、基地局からのＡＩＣＨを用いた応答通知がＡＣＫの場合、移動局は、ステップＳ３０２で算出したデフォルトのＥ−ＤＣＨリソースコンフィグレーションを用いてＥ−ＤＣＨ送信プロファイルを決定し、上りデータを基地局に送信し（ステップＳ３０６）、処理を終了する。【００７８】
ステップＳ３０５において、基地局からのＡＩＣＨを用いた応答通知がＮＡＣＫの場合は、Ｅ−ＡＩＣＨシグネチャパターンを用いてＥ−ＡＩＣＨシグネチャを復号する。複号の結果得られたＥ−ＡＩＣＨシグネチャとＥ−ＡＩＣＨシグネチャ状態とをあわせてＥ−ＡＩＣＨの応答通知を確認する（ステップＳ３０７）。ステップＳ３０７において、Ｅ−ＡＩＣＨを用いた応答通知にＥ−ＤＣＨリソースコンフィグレーションを示すオフセット値が含まれている場合、オフセット後のＥ−ＤＣＨリソースコンフィグレーションを用いてＥ−ＤＣＨ送信プロファイルを決定し、上りデータを基地局に送信し（ステップＳ３０８）、処理を終了する。ステップＳ３０７において、Ｅ−ＡＩＣＨの応答通知がＮＡＣＫである場合、または基地局からＥ−ＡＩＣＨに対応していないと通知された場合は、再送カウンタＭが０であるか確認する（ステップＳ３０９）。再送カウンタＭが０であれば、データ送信を中止し処理を終了する。ステップＳ３０９の結果が０でなければ、再送カウンタＭを１減少させ（ステップＳ３１０）、所定時間待機し（ステップＳ３１１）、プリアンブル送信ステップに戻る（ステップＳ３０４）。【００７９】
ステップＳ３０５において、所定時間、基地局からのＡＩＣＨの応答通知がない場合は、再送カウンタＭの残数を確認する（ステップＳ３１２）。再送カウンタの残数が０であれば、データ送信を中止し処理を終了する。ステップＳ３０９の結果が０でなければ、再送カウンタＭを１減少させ（ステップＳ３１３）、所定時間待機し（ステップＳ３１４）、プリアンブル送信ステップに戻る（ステップＳ３０４）。【００８０】
本実施の形態では、プリアンブル・シグネチャごとに割り当てるデフォルトのＥ−ＤＣＨリソースコンフィグレーションを、既存の報知情報から計算するため、報知情報量を追加する必要がなく、下り無線容量の減少を防ぐことができる。【００８１】
本実施の形態では、デフォルトのＥ−ＤＣＨリソースコンフィグレーションを定める際にプリアンブル・シグネチャの番号を用いるとして説明を行ったが、プリアンブル・シグネチャの番号そのものではなく、例えばＡ×（プリアンブル・シグネチャの番号）＋Ｂ（Ａ、Ｂは０または正または負の整数）などのようにプリアンブル・シグネチャの番号から計算される値でもよい。また、剰余の計算に用いる値はプリアンブル・シグネチャの番号に限定されるものではなく、移動局がＲＡＣＨを送信したスロット番号などタイミングを識別する値やそれぞれの移動局を識別する番号などでもよい。【００８２】
また、本実施の形態では、デフォルトのＥ−ＤＣＨリソースコンフィグレーションを定める際にＥ−ＤＣＨリソースコンフィグレーションの総数を用いるとして説明を行ったが、総数を用いる必要はなく、Ｅ−ＤＣＨリソースコンフィグレーションの総数未満の数を用いる形態としてもよい。このような形態をとることにより、どの移動局についてもデフォルトとして設定されていないＥ−ＤＣＨリソースコンフィグレーションを設定することができ、柔軟に使用するＥ−ＤＣＨリソースコンフィグレーションを選択できるという効果が得られる。【００８３】
なお、プリアンブル・シグネチャの番号とデフォルトのＥ−ＤＣＨリソースコンフィグレーションとの対応関係を求める際には本実施の形態のように剰余を取る形態に限定したものではなく、Ｅ−ＤＣＨリソースコンフィグレーションの総数の範囲内に対応できるような形態であればハッシュ関数等を用いてもよい。【００８４】
本実施の形態では、リソースコンフィグレーションをＥ−ＤＣＨリソースコンフィグレーションとして説明したが、移動局が前記第一の応答を受信した際に、前記デフォルトのリソースコンフィグレーションに対応したリソースコンフィグレーションを用いてデータを送信するシステムであれば、Ｅ−ＤＣＨリソースコンフィグレーションに限定したものではないことは明らかである。【００８５】
（第２の実施の形態）
本実施の形態では、基地局は、プリアンブル・シグネチャごとにデフォルトのリソースコンフィグレーションを複数用意し、デフォルトのリソースコンフィグレーションを算出するためのパラメータの値を複数用意し、前記パラメータの値を選択し、報知することを特徴としている。【００８６】
以下、リソースコンフィグレーションをＥ−ＤＣＨリソースコンフィグレーションとし、予めオフセットを複数与えてデフォルトに割り当てるＥ−ＤＣＨリソースコンフィグレーションインデックスを算出し、基地局が、デフォルトの上りチャネルリソースコンフィグレーショングループの使用状況に応じて使用するグループを変更する無線通信システムを一例として図９から図１３を用いて説明する。【００８７】
第１の実施形態では、プリアンブル・シグネチャごとに１つだけデフォルトのＥ−ＤＣＨリソースコンフィグレーションを割り当てている。そのため、移動局がプリアンブルを送信した際に、デフォルトのＥ−ＤＣＨリソースコンフィグレーションが使用中であり、Ｅ−ＡＩＣＨを用いてデフォルトとは異なるＥ−ＤＣＨリソースコンフィグレーションを割り当てる確率が高くなる。これにより、移動局は、Ｅ−ＡＩＣＨを復号しなければ割り当てられたＥ−ＤＣＨリソースコンフィグレーションを知ることができず、移動局の復号処理量が増加する。【００８８】
また、Ｅ−ＡＩＣＨには対応していない基地局の場合、Ｅ−ＡＩＣＨを用いてデフォルトとは異なるＥ−ＤＣＨリソースコンフィグレーションを割り当てることができないためＥ−ＤＣＨリソースコンフィグレーションの衝突確率が増加する可能性がある。そこで、本実施の形態では、プリアンブル・シグネチャに対し、複数のデフォルトＥ−ＤＣＨリソースコンフィグレーショングループを設定し、基地局が、デフォルトのＥ−ＤＣＨリソースコンフィグレーショングループの使用状況に応じて使用するグループを変更することを特徴としている。【００８９】
図６は、本実施の形態におけるデータ送信シーケンス図である。第１の実施の形態とは、Ｅ−ＤＣＨリソースコンフィグレーションリストを報知する動作（ステップＳ１０１）および報知情報から、デフォルトに割り当てるＥ−ＤＣＨリソースコンフィグレーションインデックスを算出する動作（ステップＳ１０２）のみ異なるので、他の説明を省略する。【００９０】
ステップＳ１０１において、基地局は、セル内の移動局に対して、所定の時間ごとにＥ−ＤＣＨリソースコンフィグレーションリストと、Ｅ−ＲＡＣＨで使用可能なプリアンブル・シグネチャリストと、後述する位置オフセットＢ、間隔オフセットＣとをＢＣＨで報知している。基地局は、リソースコンフィグレーション制御部１０９で、後述する複数のデフォルトＥ−ＤＣＨリソースコンフィグレーショングループの使用状況を管理し、デフォルトＥ−ＤＣＨリソースコンフィグレーショングループの使用率に応じて報知情報を変更する。ステップ１０２において、移動局および基地局は、報知情報から、下記式（５）に基づいて、Ｅ−ＤＣＨリソースコンフィグレーションリストからデフォルトのＥ−ＤＣＨリソースコンフィグレーションインデックスを算出する。【００９１】
【数５】
2009116212.tif 000012
このとき、第１の実施の形態と同様にＤｉｎｄは、デフォルトに割り当てるＥ−ＤＣＨリソースコンフィグレーションインデックスを、Ｐｒｅｉｎｄは、プリアンブル・シグネチャの番号を示し、Ｙは、Ｅ−ＤＣＨリソースコンフィグレーションの総数を示す。Ｅ−ＤＣＨリソースコンフィグレーションリストにおいて、Ｂはデフォルト位置をオフセットするパラメータ（以下、位置オフセット）を示し、Ｃは、連続した番号のプリアンブル・シグネチャに対応するデフォルトＥ−ＤＣＨリソースコンフィグレーションインデックスの間隔を示すパラメータ（以下、間隔オフセット）を示す。位置オフセットＢおよび間隔オフセットＣの値は、基地局から定期的に報知される。図１１に、式（５）に基づいたデフォルトのＥ−ＤＣＨリソースコンフィグレーションの割り当てを示す一例である。この例では、位置オフセットＢ＝２、間隔オフセットＣ＝２としている。【００９２】
図１２、１３を用いて、デフォルトのＥ−ＤＣＨリソースコンフィグレーショングループの使用率に応じた報知情報の変更方法の具体例を説明する。【００９３】
図１２は、本例におけるデフォルトＥ−ＤＣＨリソースコンフィグレーション割り当てを示す一例である。図１３は、基地局における報知情報の変更の動作を示すフローチャートである。【００９４】
図１２の例において、基地局は、セル内で有効なシグネチャ・プリアンブルすべてに２つずつのデフォルトのＥ−ＤＣＨリソースコンフィグレーションを下記式（６）に基づいて設定し、それぞれをＤｅｆａｕｌｔ  Ｇｒｏｕｐとして管理する。このとき、Ｃ１＝２、Ｂ１＝２、Ｂ２＝３とし、初期設定にＤｅｆａｕｌｔ  Ｇｒｏｕｐ１を使うこととする。【００９５】
【数６】
2009116212.tif 000013
図１３において、所定の時間ごとに報知する情報を決定することに応答して、制御動作を開始する。下記式（７）に基づいてＤｅｆａｕｌｔ  Ｇｒｏｕｐの使用率Ｒ（ｘ）を計算する。【００９６】
【数７】
2009116212.tif 000014
ここで、Ｒｂｕｓｙ（ｘ）はＤｅｆａｕｌｔ  Ｇｒｏｕｐ＃ｘにおける使用中のＥ−ＤＣＨリソースコンフィグレーション数を示し、Ｒａｌｌ（ｘ）はＤｅｆａｕｌｔ  Ｇｒｏｕｐ＃ｘの全Ｅ−ＤＣＨリソースコンフィグレーション数を示す。【００９７】
また、計算された使用率Ｒ（ｘ）と予め定められた閾値Ｒｔｈと比較する（ステップＳ７０１）。ここでｘは、Ｄｅｆａｕｌｔ  Ｇｒｏｕｐの番号に対応するものである。本例ではＤｅｆａｕｌｔ  Ｇｒｏｕｐ１が初期設定されているため、Ｒ（１）を計算し、閾値Ｒｔｈと比較する。【００９８】
ステップＳ７０１において閾値Ｒｔｈを上回っていない場合、位置オフセットＢを変更しないでステップＳ７０１に戻る。使用率Ｒ（ｘ）が閾値Ｒｔｈを上回っている場合、基地局は、現在使用しているＤｅｆａｕｌｔ  Ｇｒｏｕｐとは異なるＤｅｆａｕｌｔ  Ｇｒｏｕｐを用いた場合の使用率を計算し、使用率Ｒ（ｘ）と比較する（ステップＳ７０２）。本例では現在使用しているＤｅｆａｕｌｔ  Ｇｒｏｕｐ１と異なるＤｅｆａｕｌｔ  Ｇｒｏｕｐ２についてＲ（２）を計算し、Ｒ（１）と比較する。ステップＳ７０２において現在使用しているＤｅｆａｕｌｔ  Ｇｒｏｕｐに関する使用率Ｒ（ｘ）が、現在使用しているＤｅｆａｕｌｔ  Ｇｒｏｕｐと異なるＤｅｆａｕｌｔ  Ｇｒｏｕｐを用いた場合の使用率よりも低い場合は、位置オフセットＢを変更しないでステップＳ７０１に戻る。【００９９】
ステップＳ７０２において現在使用しているＤｅｆａｕｌｔ  Ｇｒｏｕｐに関する使用率Ｒ（ｘ）が、現在使用しているＤｅｆａｕｌｔ  Ｇｒｏｕｐと異なるＤｅｆａｕｌｔ  Ｇｒｏｕｐを用いた場合の使用率よりも高い場合は、基地局は、使用率が低いＤｅｆａｕｌｔ  Ｇｒｏｕｐを選択し、Ｄｅｆａｕｌｔ  Ｇｒｏｕｐに対応した位置オフセットＢをセル内の移動局に報知する（ステップＳ７０３）。本例では、Ｒ（１）がＲ（２）よりも高い場合、基地局は、使用率が低いＤｅｆａｕｌｔ  Ｇｒｏｕｐに対応した位置オフセットＢ２を選択し、セル内の移動局に報知する。【０１００】
図９は、本実施の形態における基地局の動作を示すフローチャートであるが、第１の実施の形態と同様なので省略する。【０１０１】
図１０は、本実施の形態における移動局の動作を示すフローチャートであるが、第１の実施の形態と同様なので省略する。【０１０２】
本実施の形態では、デフォルトのＥ−ＤＣＨリソースコンフィグレーショングループを２つ設定し、使用率Ｒ（ｘ）の高低により判断したが、グループは２つに限定したものではない。グループを３つ以上設定し、ステップＳ７０２において、最も使用率Ｒ（ｘ）が低いグループに対応する位置オフセット値を選択しても同様の効果を得ることができる。【０１０３】
なお、本実施の形態では基地局が、デフォルトのＥ−ＤＣＨリソースコンフィグレーショングループの使用状況に応じて使用するグループを変更するとして説明をしたが、定められた時間に応じて周期的に変更するという形態でもよい。【０１０４】
本実施の形態では、プリアンブル・シグネチャに対し、複数のデフォルトＥ−ＤＣＨリソースコンフィグレーショングループを設定し、基地局が、デフォルトのＥ−ＤＣＨリソースコンフィグレーショングループの使用状況に応じて使用するグループを変更するため、デフォルトのＥ−ＤＣＨリソースコンフィグレーションを使用できる確率を向上させることで、Ｅ−ＡＩＣＨを用いてＥ−ＤＣＨリソースコンフィグレーションを割り当てる頻度を削減できるため、移動局の処理を軽減することができる。【０１０５】
また、本実施の形態では、プリアンブル・シグネチャに対し、複数のデフォルトＥ−ＤＣＨリソースコンフィグレーショングループを設定し、基地局が、デフォルトのＥ−ＤＣＨリソースコンフィグレーショングループの使用状況に応じて使用するグループを変更するため、デフォルトのＥ−ＤＣＨリソースコンフィグレーションを使用できる確率を向上させることができるため、Ｅ−ＡＩＣＨが使用できない基地局において、Ｅ−ＤＣＨリソースコンフィグレーションの衝突確率を軽減することができる。【０１０６】
（第３の実施の形態）
本実施の形態では、基地局は、プリアンブル・シグネチャごとに前記デフォルトのリソースコンフィグレーションを複数用意し、デフォルトのリソースコンフィグレーションを算出するためのパラメータの値を複数用意して報知することを特徴としている。【０１０７】
以下、リソースコンフィグレーションをＥ−ＤＣＨリソースコンフィグレーションとし、予めオフセットを複数与えてデフォルトに割り当てるＥ−ＤＣＨリソースコンフィグレーションインデックスを算出し、移動局が、プリアンブルを送信するタイミングに応じて、基地局がデフォルトＥ−ＤＣＨリソースコンフィグレーショングループを使い分ける無線通信システムを一例として図１０、図１２、図１４、図１５を用いて説明する。【０１０８】
第１の実施形態では、プリアンブル・シグネチャごとに１つだけデフォルトのＥ−ＤＣＨリソースコンフィグレーションを割り当てている。そのため、移動局がプリアンブルを送信した際に、デフォルトのＥ−ＤＣＨリソースコンフィグレーションが使用中であり、Ｅ−ＡＩＣＨを用いて異なるＥ−ＤＣＨリソースコンフィグレーションを割り当てる確率が高くなる。これにより、移動局は、Ｅ−ＡＩＣＨを復号しなければ割り当てられたＥ−ＤＣＨリソースコンフィグレーションを知ることができず、移動局の復号処理量が増加する。【０１０９】
また、Ｅ−ＡＩＣＨには対応していない基地局の場合、Ｅ−ＡＩＣＨを用いてデフォルトとは異なるＥ−ＤＣＨリソースコンフィグレーションを割り当てることができないためＥ−ＤＣＨリソースコンフィグレーションの衝突確率が増加する可能性がある。そこで、本実施の形態では、プリアンブル・シグネチャごとに複数のデフォルトＥ−ＤＣＨリソースコンフィグレーショングループを設定し、移動局が、プリアンブルを送信するタイミングに応じて、基地局がデフォルトＥ−ＤＣＨリソースコンフィグレーショングループを使い分けることを特徴としている。【０１１０】
図１４は、本実施の形態におけるデータ送信シーケンス図である。第１の実施形態とは、Ｅ−ＤＣＨリソースコンフィグレーショングループの判定に関する動作（ステップＳ８０１からステップＳ８０７）及び移動局が上りデータを送信するために用いるＥ−ＤＣＨリソースコンフィグレーションを決定する動作（ステップＳ８０８またはステップＳ８１１）が異なるので、他の説明を省略する。【０１１１】
ステップＳ８０１において、基地局は、セル内の移動局に対して、所定の時間ごとにＥ−ＤＣＨリソースコンフィグレーションリストと、Ｅ−ＲＡＣＨで使用可能なプリアンブル・シグネチャリストと、第２の実施形態で定義した位置オフセットＢ、間隔オフセットＣを用いた２つの設定値とを、ＢＣＨで報知している。ステップＳ８０２において、移動局および基地局は、報知情報から、第２の実施の形態と同様に式（５）、式（６）に基づいて、デフォルトのＥ−ＤＣＨリソースコンフィグレーションインデックスを算出し、２つのＤｅｆａｕｌｔ  Ｇｒｏｕｐを決定する。【０１１２】
移動局のバッファ２０７に送信データが発生すると（ステップＳ８０３）、送信データ制御部２０４は、プリアンブルを基地局に送信する（ステップＳ８０４）。基地局は、プリアンブル受信後に、デフォルトのＥ−ＤＣＨリソースコンフィグレーションが使用可能か否かを判断する（ステップＳ８０５）。【０１１３】
ステップＳ８０５において、受信したプリアンブル・シグネチャに対応するデフォルトのＥ−ＤＣＨリソースコンフィグレーションが使用可能ではなく、かつプリアンブル再送カウンタＣが閾値Ｃｔｈを越えていない場合、基地局は再送カウンタを１増やす。また、基地局は移動局には特に通知を行わず、Ａｌｔ１の処理にて移動局からの動作を待つ。Ａｌｔ１では、移動局は、ステップＳ８０４のプリアンブル送信から所定の時間経過後、前述の方法でプリアンブルを再送し（ステップＳ８０６）、基地局は、再度ステップＳ８０５の処理を行う。Ａｌｔ１の処理は、プリアンブルが移動局から送信されたものの基地局で受信できなかったなど基地局でプリアンブルを認識できなかった場合にも行われる。なお、ここではステップＳ３０６におけるプリアンブルの再送は所定の時間経過後に行われるとして説明したが、所定のアクセススロットが経過した後という形態でもよい。【０１１４】
ステップＳ８０５において、受信したプリアンブル・シグネチャに対応するデフォルトのＥ−ＤＣＨリソースコンフィグレーションが使用可能である場合、または、プリアンブル再送カウンタＣが閾値Ｃｔｈを越えている場合、Ａｌｔ２−１からＡｌｔ２−３のいずれかの処理を行う。受信したプリアンブル・シグネチャに対応するデフォルトのＥ−ＤＣＨリソースコンフィグレーションが使用可能である場合は、Ａｌｔ２−１の処理へと進む。受信したプリアンブル・シグネチャに対応するデフォルトのＥ−ＤＣＨリソースコンフィグレーションが使用可能ではなく、かつプリアンブル再送カウンタＣが閾値Ｃｔｈを越えている場合、Ａｌｔ２−２の処理へと進む。基地局の動作の詳細については図１５を用いて説明する。移動局は、Ａｌｔ２−１のステップＳ８０８またはＡｌｔ２−２のステップＳ８１１など上りデータを送信するために用いるＥ−ＤＣＨリソースコンフィグレーションを決定する際に、プリアンブルを送信したアクセススロット番号が偶数であるときは、Ｄｅｆａｕｌｔ  Ｇｒｏｕｐ１からデフォルトのＥ−ＤＣＨリソースコンフィグレーションを決定し、プリアンブルを送信したアクセススロット番号が奇数であるときは、Ｄｅｆａｕｌｔ  Ｇｒｏｕｐ２からデフォルトのＥ−ＤＣＨリソースコンフィグレーションを決定する。【０１１５】
なお、ここではステップＳ８０５において、受信したプリアンブル・シグネチャに対応するデフォルトのＥ−ＤＣＨリソースコンフィグレーションが使用可能ではなく、かつプリアンブル再送カウンタＣが閾値Ｃｔｈを越えていない場合、基地局は移動局に特に通知を行わないとして説明をしたが、Ａｌｔ２−３のようにＥ−ＡＩＣＨに対応していない基地局ではＡＩＣＨを用いた応答通知ＮＡＣＫを、Ｅ−ＡＩＣＨに対応した基地局では、ＡＩＣＨとＥ−ＡＩＣＨを用いた応答通知ＮＡＣＫを送信するという形態でもよい。【０１１６】
図１５は、本実施の形態における、ＡＩＣＨ／Ｅ−ＡＩＣＨの応答を判断するステップＳ８０５における基地局、特にリソースコンフィグレーション制御部１０９の動作を示すフローチャートである。  基地局は、移動局が送信するプリアンブルを受信したかを確認し（ステップＳ９０１）、プリアンブルを受信していない場合はプリアンブル受信待ち状態に戻る。ステップＳ９０１でプリアンブルを受信していた場合は、移動局がプリアンブルを送信したアクセススロット番号を考慮して、受信したプリアンブルに割り当てたデフォルトのＥ−ＤＣＨリソースコンフィグレーションが使用可能か否かを判断する（ステップＳ９０２）。受信したタイミングに割り当てたデフォルトのＥ−ＤＣＨリソースコンフィグレーションが使用可能である場合、基地局はＡＩＣＨを用いて、応答通知ＡＣＫを通知し（ステップＳ９０３）、移動局が送信する上りデータを受信して（ステップＳ９０４）、ステップＳ９０１のプリアンブル受信待ち状態に戻る。【０１１７】
ステップＳ９０２において、受信したプリアンブルに割り当てたデフォルトのＥ−ＤＣＨリソースコンフィグレーションが使用可能ではない場合、基地局は、プリアンブル待ちカウンタＣが、閾値Ｃｔｈを越えているか否かの判断をする（ステップＳ９０５）。ステップＳ９０５において、プリアンブル待ちカウンタＣが、閾値Ｃｔｈを越えている場合、基地局は、Ｅ−ＤＣＨリソースコンフィグレーションリストの中でデフォルト以外のＥ−ＤＣＨコンフィグレーションが使用可能か否か判断する（ステップＳ９０６）。【０１１８】
ステップＳ９０６において、Ｅ−ＤＣＨリソースコンフィグレーションリストの中でデフォルト以外のＥ−ＤＣＨリソースコンフィグレーションが使用可能である場合、そのうちの１つを選択し、ＡＩＣＨを用いた応答通知ＮＡＣＫおよび、デフォルトのＥ−ＤＣＨリソースコンフィグレーションと選択したＥ−ＤＣＨリソースコンフィグレーションとのオフセット値からＥ−ＡＩＣＨシグネチャとＥ−ＡＩＣＨシグネチャ状態とを求め、Ｅ−ＡＩＣＨシグネチャに対応したＥ−ＡＩＣＨシグネチャパターンを用いて、Ｅ−ＡＩＣＨシグネチャ状態を含んだＥ−ＡＩＣＨを送信する（ステップＳ９０７）。基地局は、移動局が送信する上りデータを受信して（ステップＳ９０８）、ステップＳ９０１のプリアンブル受信待ち状態に戻る。【０１１９】
ステップＳ９０６において、Ｅ−ＤＣＨリソースコンフィグレーションリストの中でデフォルト以外のＥ−ＤＣＨリソースコンフィグレーションが使用可能ではない場合、ＡＩＣＨを用いた応答通知ＮＡＣＫおよび、Ｅ−ＡＩＣＨを用いた応答通知ＮＡＣＫを通知し（ステップＳ９０９）、ステップＳ９０１のプリアンブル受信待ち状態に戻る。【０１２０】
ステップ９０５において、タイミング待ちカウンタＣが、閾値Ｃｔｈを越えていない場合、基地局は、タイミング待ちカウンタＣに１追加し（ステップＳ９１０）、ステップＳ９０１のプリアンブル受信待ち状態に戻る。【０１２１】
図８は、本実施の形態における移動局の動作を示すフローチャートであるが、第１の実施の形態と同様なので省略する。【０１２２】
本実施の形態では、デフォルトのＥ−ＤＣＨリソースコンフィグレーショングループを２つ設定し、プリアンブルを送信するアクセススロットの偶数、奇数で使用するグループを判断したが、グループを３つ以上設定し、アクセススロットも同数に分けて使用するグループを判断しても同様の効果を得ることができる。【０１２３】
例えば、プリアンブルの再送間隔が奇数のアクセススロットであるときは、デフォルトのＥ−ＤＣＨリソースコンフィグレーショングループを２つ設定した場合に、偶数のアクセススロットと奇数のアクセススロットを繰り返してプリアンブルを送信するため、基地局はデフォルトのＥ−ＤＣＨリソースコンフィグレーショングループを交互に使い分けることが可能となる。【０１２４】
また、プリアンブルの再送間隔が偶数のアクセススロットであるときも、グループを３つ以上設定することにより、デフォルトＥ−ＤＣＨリソースコンフィグレーショングループを使い分けることが可能となる。【０１２５】
なお、本実施の形態では移動局がプリアンブルを送信するタイミングに応じて使用するグループを変更するとして説明をしたが、定められた時間に応じて周期的に変更するという形態でもよい。【０１２６】
本実施の形態では、リソースコンフィグレーションの総数から求められた値を少なくとも用いて、１つのプリアンブル・シグネチャに対し、複数のデフォルトＥ−ＤＣＨリソースコンフィグレーショングループを設定し、移動局がプリアンブルを送信するタイミングに応じて、基地局がデフォルトＥ−ＤＣＨリソースコンフィグレーショングループを使い分けることを特徴としている。【０１２７】
本実施の形態では、プリアンブル・シグネチャに対し、複数のデフォルトＥ−ＤＣＨリソースコンフィグレーショングループを設定し、移動局がプリアンブルを送信するタイミングに応じて、基地局がデフォルトＥ−ＤＣＨリソースコンフィグレーショングループを使い分けることで、移動局の処理の軽減が期待できる。これは、デフォルトＥ−ＤＣＨリソースコンフィグレーショングループを使い分けることによりデフォルトのＥ−ＤＣＨリソースコンフィグレーションを使用できる確率を向上させることで、Ｅ−ＡＩＣＨを用いてデフォルト以外のＥ−ＤＣＨリソースコンフィグレーションを割り当てる頻度を削減できるためである。【０１２８】
また、プリアンブル・シグネチャに対し、複数のデフォルトＥ−ＤＣＨリソースコンフィグレーショングループを設定し、移動局がプリアンブルを送信するタイミングに応じて、基地局がデフォルトＥ−ＤＣＨリソースコンフィグレーショングループを使い分けることで、デフォルトのＥ−ＤＣＨリソースコンフィグレーションを使用できる確率を向上させることができるため、Ｅ−ＤＣＨリソースコンフィグレーションの衝突確率を軽減することが期待できる。【０１２９】
本発明は、上りチャネルを用いて、複数の無線通信装置が基地局にアクセスする方式の無線通信システムに適用可能である。【０１３０】
この出願は、２００８年３月１９日に出願された日本出願特願２００８−０７２５８０を基礎とする優先権を主張し、その開示の全てをここに取り込む。
【図１】
2009116212.tif 000015
【図２】
2009116212.tif 000016
【図３】
2009116212.tif 000017
【図４】
2009116212.tif 000018
【図５】
2009116212.tif 000019
【図６】
2009116212.tif 000020
【図７】
2009116212.tif 000021
【図８】
2009116212.tif 000022
【図９】
2009116212.tif 000023
【図１０】
2009116212.tif 000024
【図１１】
2009116212.tif 000025
【図１２】
2009116212.tif 000026
【図１３】
2009116212.tif 000027
【図１４】
2009116212.tif 000028
【図１５】
2009116212.tif 000029
【手続補正書】
【提出日】平成21年9月7日(2009.9.7)
【手続補正１】
【補正対象書類名】特許請求の範囲
【補正対象項目名】全文
【補正方法】変更
【補正の内容】
【特許請求の範囲】
【請求項１】
基地局と移動局からなる通信システムであって、
前記基地局は、前記移動局からのランダムアクセス送信に含まれるプリアンブルを受信し、受信したプリアンブルに対する応答を前記移動局へ送信し、
前記移動局は、前記応答が第一の応答である場合に、リソースコンフィグレーションの総数または、該総数から求められた値をＹとし、前記プリアンブルに用いるプリアンブル・シグネチャを特定するためのプリアンブル・シグネチャ番号をＰｒｅＩｎｄとして、自移動局のデフォルトのリソースコンフィグレーションＤｉｎｄを、
Ｄｉｎｄ  ＝  ＰｒｅＩｎｄ  ｍｏｄ  Ｙ
として算出したリソースコンフィグレーションの少なくとも一部の情報を用いてデータを送信する
ことを特徴とする通信システム。
【請求項２】
前記プリアンブルに対する応答はＡｃｑｕｉｓｉｔｉｏｎ  Ｉｎｄｉｃａｔｏｒ  Ｃｈａｎｎｅｌ（ＡＩＣＨ）を用いて送信されることを特徴とする請求項１記載の通信システム。
【請求項３】
前記リソースコンフィグレーションがＥｎｈａｎｃｅｄ  Ｄｅｄｉｃａｔｅｄ  Ｃｈａｎｎｅｌ（Ｅ−ＤＣＨ）リソースコンフィグレーションであることを特徴とする請求項１または２記載の通信システム。
【請求項４】
前記第一の応答は肯定応答であることを特徴とする請求項１から３いずれか１項記載の通信システム。
【請求項５】
リソースコンフィグレーションの総数または該総数から求められた値をＹとし、移動局からのランダムアクセス送信に含まれるプリアンブルに用いるプリアンブル・シグネチャを特定するためのプリアンブル・シグネチャ番号をＰｒｅＩｎｄとして、前記送信に用いる前記デフォルトのリソースコンフィグレーションＤｉｎｄを、
Ｄｉｎｄ  ＝  ＰｒｅＩｎｄ  ｍｏｄ  Ｙ
として算出したデフォルトのリソースコンフィグレーションを基に、前記プリアンブルに対する応答通知を決定することを特徴とする基地局。
【請求項６】
基地局へプリアンブルを送信する移動局であって、
前記移動局は、ランダムアクセス送信に含まれるプリアンブルを前記基地局に送信し、
前記送信したプリアンブルに対する応答が第一の応答である場合に、リソースコンフィグレーションの総数または該総数から求められた値をＹとし、前記プリアンブルに用いるプリアンブル・シグネチャを特定するためのプリアンブル・シグネチャ番号をＰｒｅＩｎｄとして、前記送信に用いる前記デフォルトのリソースコンフィグレーションＤｉｎｄを、
Ｄｉｎｄ  ＝  ＰｒｅＩｎｄ  ｍｏｄ  Ｙ
として算出したリソースコンフィグレーションの少なくとも一部の情報を用いてデータを送信する
ことを特徴とする移動局。
【請求項７】
前記第一の応答は肯定応答であることを特徴とする請求項６記載の移動局。
【請求項８】
基地局の応答決定方法であって、
リソースコンフィグレーションの総数または該総数から求められた値をＹとし、移動局からのランダムアクセス送信に含まれるプリアンブルに用いるプリアンブル・シグネチャを特定するためのプリアンブル・シグネチャ番号をＰｒｅＩｎｄとして、前記送信に用いる前記デフォルトのリソースコンフィグレーションＤｉｎｄを、
Ｄｉｎｄ  ＝  ＰｒｅＩｎｄ  ｍｏｄ  Ｙ
として算出したデフォルトのリソースコンフィグレーションを基に、前記プリアンブルに対する応答通知を決定することを特徴とする応答決定方法。
【請求項９】
移動局のリソースコンフィグレーション決定方法であって、
ランダムアクセス送信に含まれるプリアンブルを前記基地局に送信し、
前記送信したプリアンブルに対する応答が第一の応答である場合に、リソースコンフィグレーションの総数または該総数から求められた値をＹとし、前記プリアンブルに用いるプリアンブル・シグネチャを特定するためのプリアンブル・シグネチャ番号をＰｒｅＩｎｄとして、前記送信に用いる前記デフォルトのリソースコンフィグレーションＤｉｎｄを、
Ｄｉｎｄ  ＝  ＰｒｅＩｎｄ  ｍｏｄ  Ｙ
として算出したリソースコンフィグレーションの少なくとも一部の情報を用いてデータを送信する
することを特徴とするリソースコンフィグレーション決定方法。
【請求項１０】
前記第一の応答は肯定応答であることを特徴とする請求項９記載のリソースコンフィグレーション決定方法。
【請求項１１】
情報処理装置に処理を実行させるプログラムであって、前記プログラムは、前記情報処理装置に、
リソースコンフィグレーションの総数または該総数から求められた値をＹとし、移動局からのランダムアクセス送信に含まれるプリアンブルに用いるプリアンブル・シグネチャを特定するためのプリアンブル・シグネチャ番号をＰｒｅＩｎｄとして、前記送信に用いる前記デフォルトのリソースコンフィグレーションＤｉｎｄを、
Ｄｉｎｄ  ＝  ＰｒｅＩｎｄ  ｍｏｄ  Ｙ
として算出したデフォルトのリソースコンフィグレーションを基に、前記プリアンブルに対する応答通知を決定する
処理を実行させることを特徴とするプログラム。
【請求項１２】
情報処理装置に処理を実行させるプログラムであって、前記プログラムは、前記情報処理装置に、
ランダムアクセス送信に含まれるプリアンブルを前記基地局に送信し、
前記送信したプリアンブルに対する応答が第一の応答である場合に、リソースコンフィグレーションの総数または該総数から求められた値をＹとし、前記プリアンブルに用いるプリアンブル・シグネチャを特定するためのプリアンブル・シグネチャ番号をＰｒｅＩｎｄとして、前記送信に用いる前記デフォルトのリソースコンフィグレーションＤｉｎｄを、
Ｄｉｎｄ  ＝  ＰｒｅＩｎｄ  ｍｏｄ  Ｙ
として算出したリソースコンフィグレーションの少なくとも一部の情報を用いてデータを送信する
処理を実行させることを特徴とするプログラム。
【手続補正２】
【補正対象書類名】明細書
【補正対象項目名】００２７
【補正方法】変更
【補正の内容】
【００２７】
上記課題を解決する本発明は、基地局と移動局からなる通信システムであって、基地局は、移動局からのランダムアクセス送信に含まれるプリアンブルを受信し、受信したプリアンブルに対する応答を移動局へ送信し、移動局は、前記応答が第一の応答である場合に、リソースコンフィグレーションの総数または、該総数から求められた値をＹとし、前記プリアンブルに用いるプリアンブル・シグネチャを特定するためのプリアンブル・シグネチャ番号をＰｒｅＩｎｄとして、自移動局のデフォルトのリソースコンフィグレーションＤｉｎｄを、
Ｄｉｎｄ  ＝  ＰｒｅＩｎｄ  ｍｏｄ  Ｙ
として算出したリソースコンフィグレーションの少なくとも一部の情報を用いてデータを送信することを特徴とする。
【手続補正３】
【補正対象書類名】明細書
【補正対象項目名】００２８
【補正方法】変更
【補正の内容】
【００２８】
上記課題を解決する本発明は、基地局であって、リソースコンフィグレーションの総数または該総数から求められた値をＹとし、移動局からのランダムアクセス送信に含まれるプリアンブルに用いるプリアンブル・シグネチャを特定するためのプリアンブル・シグネチャ番号をＰｒｅＩｎｄとして、前記送信に用いる前記デフォルトのリソースコンフィグレーションＤｉｎｄを、
Ｄｉｎｄ  ＝  ＰｒｅＩｎｄ  ｍｏｄ  Ｙ
として算出したリソースコンフィグレーションを基に、前記プリアンブルに対する応答通知を決定することを特徴とする。
【手続補正４】
【補正対象書類名】明細書
【補正対象項目名】００２９
【補正方法】変更
【補正の内容】
【００２９】
上記課題を解決する本発明は、基地局へプリアンブルを送信する移動局であって、移動局は、ランダムアクセス送信に含まれるプリアンブルを前記基地局に送信し、前記送信したプリアンブルに対する応答が第一の応答である場合に、リソースコンフィグレーションの総数または該総数から求められた値をＹとし、前記プリアンブルに用いるプリアンブル・シグネチャを特定するためのプリアンブル・シグネチャ番号をＰｒｅＩｎｄとして、前記送信に用いる前記デフォルトのリソースコンフィグレーションＤｉｎｄを、
Ｄｉｎｄ  ＝  ＰｒｅＩｎｄ  ｍｏｄ  Ｙ
として算出したリソースコンフィグレーションの少なくとも一部の情報を用いてデータを送信することを特徴とする。
【手続補正５】
【補正対象書類名】明細書
【補正対象項目名】００３０
【補正方法】変更
【補正の内容】
【００３０】
上記課題を解決する本発明は、基地局の応答決定方法であって、リソースコンフィグレーションの総数または該総数から求められた値をＹとし、移動局からのランダムアクセス送信に含まれるプリアンブルに用いるプリアンブル・シグネチャを特定するためのプリアンブル・シグネチャ番号をＰｒｅＩｎｄとして、前記送信に用いる前記デフォルトのリソースコンフィグレーションＤｉｎｄを、
Ｄｉｎｄ  ＝  ＰｒｅＩｎｄ  ｍｏｄ  Ｙ
として算出したデフォルトのリソースコンフィグレーションを基に、前記プリアンブルに対する応答通知を決定することを特徴とする。
【手続補正６】
【補正対象書類名】明細書
【補正対象項目名】００３１
【補正方法】変更
【補正の内容】
【００３１】
上記課題を解決する本発明は、移動局のリソースコンフィグレーション決定方法であって、ランダムアクセス送信に含まれるプリアンブルを前記基地局に送信し、前記送信したプリアンブルに対する応答が第一の応答である場合に、リソースコンフィグレーションの総数または該総数から求められた値Ｙとし、前記プリアンブルに用いるプリアンブル・シグネチャを特定するためのプリアンブル・シグネチャ番号をＰｒｅＩｎｄとして、前記送信に用いる前記デフォルトのリソースコンフィグレーションＤｉｎｄを、
Ｄｉｎｄ  ＝  ＰｒｅＩｎｄ  ｍｏｄ  Ｙ
として算出したリソースコンフィグレーションの少なくとも一部の情報を用いてデータを送信することを特徴とするリソースコンフィグレーション決定方法。
【手続補正７】
【補正対象書類名】明細書
【補正対象項目名】００３２
【補正方法】変更
【補正の内容】
【００３２】
上記課題を解決する本発明は、情報処理装置に処理を実行させるプログラムであって、プログラムは、情報処理装置に、リソースコンフィグレーションの総数または該総数から求められた値をＹとし、移動局からのランダムアクセス送信に含まれるプリアンブルに用いるプリアンブル・シグネチャを特定するためのプリアンブル・シグネチャ番号をＰｒｅＩｎｄとして、前記送信に用いる前記デフォルトのリソースコンフィグレーションＤｉｎｄを、
Ｄｉｎｄ  ＝  ＰｒｅＩｎｄ  ｍｏｄ  Ｙ
として算出したデフォルトのリソースコンフィグレーションを基に、前記プリアンブルに対する応答通知を決定する処理を実行させることを特徴とする。
【手続補正８】
【補正対象書類名】明細書
【補正対象項目名】００３３
【補正方法】変更
【補正の内容】
【００３３】
上記課題を解決する本発明は、情報処理装置に処理を実行させるプログラムであって、プログラムは、情報処理装置にランダムアクセス送信に含まれるプリアンブルを前記基地局に送信し、前記送信したプリアンブルに対する応答が第一の応答である場合に、リソースコンフィグレーションの総数または該総数から求められた値をＹとし、前記プリアンブルに用いるプリアンブル・シグネチャを特定するためのプリアンブル・シグネチャ番号をＰｒｅＩｎｄとして、前記送信に用いる前記デフォルトのリソースコンフィグレーションＤｉｎｄを、
Ｄｉｎｄ  ＝  ＰｒｅＩｎｄ  ｍｏｄ  Ｙ
として算出したリソースコンフィグレーションの少なくとも一部の情報を用いてデータを送信する処理を実行させることを特徴とする。
【国際調査報告】
2009116212.tif 000030
2009116212.tif 000031
2009116212.tif 000032
2009116212.tif 000033